(57)【特許請求の範囲】
【請求項１】
自立性のない合成樹脂製のフィルム、シート類を、自立性のある板状のパネルに沿わせて、シワや弛みが発生しないように枠体に展張支持するための治具であって、少なくとも、フィルム、シート類を対向する２辺で支持する四角形の第一の枠体と、第一の枠体にフィルム、シート類を介してかぶせる第二の枠体と、第二の枠体を第一の枠体にかぶせた際に、第一の枠体の内周側に形成される第一の枠体と第二の枠体との間隙にフィルム、シートを介して嵌合する板状のパネルとを備え、フィルム、シート類を第一の枠体の少なくとも対向する２辺で支持し、且つ、板状のパネルをフィルム、シート類を介して前記少なくとも対向する２辺側の、前記第一の枠体と第二の枠体との間隙に嵌合させてフィルム、シート類を展張することを特徴とするフィルム、シート類の展張支持治具。
【請求項２】
請求項１における、第一の枠体へのフィルム、シート類の支持は、第一の枠体へフィルム、シート類をヒートシール法ないし超音波融着法により固定したものであることを特徴とするフィルム、シート類の展張支持治具。
【請求項３】
請求項２において、フィルム、シート類の第一の枠体への支持を第一の枠体に設けた溝にて行い、且つ、該溝に第二の枠体に設けた突起を嵌合させてフィルム、シート類を支持することを特徴とするフィルム、シート類の展張支持治具。
【請求項４】
請求項１ないし３における第二の枠体が外装枠を兼ねるものであることを特徴とする  フィルム、シート類の展張支持治具。
【請求項５】
請求項１ないし４記載のフィルム、シート類がプロジェクションスクリーン用のフィルムないしシートであることを特徴とするフィルム、シート類の展張支持治具。
【請求項６】
請求項１ないし５記載のパネルがレンチキュラーレンズ、ハードコート処理された表面パネル等の背面投射型プロジェクションテレビ用のパネルであることを特徴とするフィルム、シート類の展張支持治具。
【発明の詳細な説明】
【０００１】
【産業上の利用分野】
本発明は，自立性のないフィルム、シート類を自立性のある板状のパネルに沿わせて、シワや弛みが発生しないように枠体に展張支持するための治具に関し、特に、テレビジョン等のプロジェクションスクリーン用のフィルムないしシートを展張支持する治具に関する。
【０００２】
【従来の技術】
テレビジョン等のプロジェクションスクリーン用のフレネルレンズにおいては、従来は、自立性のある比較的厚いシートを用い、同心円状にレンズを形成したサーキュラーフレネルレンズが主体で、熱プレスによる成形や紫外線硬化型樹脂を用いた金型による成形がなされていた。
近年は、レンズの光学的損失などによる画質の低下を少なくためのレンズシートの薄板化と、生産性向上のための連続生産の要望から、薄いフィルム上にレンズを形成したものが製作されるようになってきた。
例えば、レンズを直線状に平行に並列して形成したリニアフレネルレンズは、形状が直線状になっているため、その作製には、グラビア印刷機を応用した機械により、連続した薄いフィルム上に紫外線硬化性の樹脂を所定の形状に転写して、紫外線により硬化させて、リニアフレネルレンズを形成する紫外線硬化法等の方法が採られていた。
このようにして作製される薄くて自立性に乏しいフィルムレンズをプロジェクションスクリーンとして使用する際の展張支持方法としては、剛性のある板、例えばレンチキュラーレンズシートに抱き合わせる第一の方法、フィルム自体を枠体やキャビネット等の支持物に支持しながら張る第二の方法が知られているが、シワ、弛みの発生確率を考慮した生産性の面や一層の薄板化という面からは第二の方法の方が優れている。
【０００３】
しかし、フィルム自体を枠体やキャビネット等の支持物に支持しながら張る第二の方法の場合、確実な固定は難しく、また、フィルムに対してシワを発生させずに、テンション（張力）を掛け続けることは難しく、固定にもかなりコツが必要であった。即ち、この第二の方法おいては、レンズフィルムに常にテンション（張力）を掛け続け、且つ、レンズフィルム全体をシワや弛みが発生しないように、簡単に保持できるようにすることが求められていた。
第一の方法の場合は、レンズフィルム全体をシワや弛みが発生しないようにすることが難しく、その対応が求められていた。
【０００４】
【発明が解決しようとする課題】
上記のように、プロジェクションスクリーン用に連続生産される自立性のない薄いリニアフレネルレンズフィルムに対しては、確実な固定ができて、フィルムに対してシワや弛みを発生させずに、テンション（張力）をかけ続けることができ、且つ、固定にはコツを必要としない簡単な、展張支持治具が求められていた。
本発明は、このような状況のもと、自立性のない合成樹脂製のフィルム、シート類を、自立性のある板状のパネルに沿わせて、シワや弛みが発生しないように枠体に展張支持するための治具で、比較的簡単な構造で、且つ、フィルム、シート類に対してシワや弛みを発生させずに、確実な固定ができて、テンション（張力）をかけ続けることができるものを提供しようとするものである。
【０００５】
【課題を解決するための手段】
本発明のフィルム、シート類の展張支持治具は、自立性のない合成樹脂製のフィルム、シート類を、自立性のある板状のパネルに沿わせて、シワや弛みが発生しないように枠体に展張支持するための治具であって、少なくとも、フィルム、シート類を対向する２辺で支持する四角形の第一の枠体と、第一の枠体にフィルム、シート類を介してかぶせる第二の枠体と、第二の枠体を第一の枠体にかぶせた際に、第一の枠体の内周側に形成される第一の枠体と第二の枠体との間隙にフィルム、シートを介して嵌合する板状のパネルとを備え、フィルム、シート類を第一の枠体の少なくとも対向する２辺で支持し、且つ、板状のパネルをフィルム、シート類を介して前記少なくとも対向する２辺側の、前記第一の枠体と第二の枠体との間隙に嵌合させてフィルム、シート類を展張することを特徴とするものである。
そして、上記における、第一の枠体へのフィルム、シート類の支持は、第一の枠体へフィルム、シート類をヒートシール法（熱圧着法とも言う）ないし超音波融着法により固定したものであることを特徴とするものであり、フィルム、シート類の第一の枠体への支持を第一の枠体に設けた溝にて行い、且つ、該溝に第二の枠体に設けた突起を嵌合させてフィルム、シート類を支持することを特徴とするものである。
そしてまた、上記における第二の枠体が外装枠を兼ねるものであることを特徴とするものである。
そして、上記のフィルム、シート類がプロジェクションスクリーン用のフィルムないしシートであることを特徴とするものである。
また、上記のパネルがレンチキュラーレンズ、ハードコート処理された表面パネル等の背面投射型プロジェクションテレビ用のパネルであることを特徴とするものである。
【０００６】
尚、ここでは、プロジェクションスクリーン用のフィルムないしシートとは、その面にレンズを形成してあるものと、形成していないものの両方を含む。
また、自立性がないフィルム、シート類とは、他のものに支持されたり、固定されたりしないで、それ自体では、シワや弛みが生じてしまうフィルム、シート類を意味し、自立性があるパネルとは、それ自体でシワや弛みが発生しないパネルを意味する。
【０００７】
【作用】
本発明のフィルム、シート類の展張支持治具は、上記のように構成することにより、フィルム、シート類に対し、比較的簡単な構造で、且つ、フィルム、シート類に対してシワや弛みを発生させずに、確実な固定ができて、テンション（張力）を掛け続けることができる展張治具の提供を可能にしている。
詳しくは、本発明のフィルム、シート類の展張支持治具は、少なくとも、フィルム、シート類を対向する２辺で支持する四角形の第一の枠体と、第一の枠体をフィルム、シート類を介してかぶせる第二の枠体と、第二の枠体を第一の枠体にかぶせた際に、第一の枠体の内周側に形成される第一の枠体と第二の枠体との間隙にフィルム、シートを介して嵌合する板状のパネルとを備え、フィルム、シート類を第一の枠体の少なくとも対向する２辺で支持し、且つ、板状のパネルをフィルム、シート類を介して前記少なくとも対向する２辺側の、前記第一の枠体と第二の枠体との間隙に嵌合させてフィルム、シート類を展張することにより、これを達成している。
具体的には、第一の枠体へのフィルム、シート類の支持は、第一の枠体へフィルム、シート類をヒートシール法（熱圧着法とも言う）ないし超音波融着法により固定したものであり、フィルム、シート類の枠体への支持を簡単なものとしており、フィルム、シート類の第一の枠体への支持を第一の枠体に設けた溝にて行い、且つ、該溝に第二の枠体に設けた突起を嵌合させてフィルム、シート類を支持することにより、支持をより確実なものとしている。
そして、第二の枠体が外装枠を兼ねるものとすることより、全体を簡単な構造としている。
特に、フィルム、シート類がプロジェクションスクリーン用のフィルムないしシートの展張支持には有効である。この場合には、パネルとしてレンチキュラーレンズ、ハードコート処理された表面パネル等の背面投射型プロジェクションテレビ用の自立性のあるパネルを用いることが多い。
【０００８】
【実施例】
本発明のフィルム、シート類の展張支持治具の実施例を図にもとづいて説明する。
図１（ａ）は、本実施例のフィルム、シート類の展張支持治具を用いて展張支持を完了した後の状態を示した平面図であり、図１（ｂ）は図１（ａ）のＡ１−Ａ２におけるの断面図であり、図１（ｃ）はパネルを嵌合していない状態を示した図であり、図２は図１に示す枠体を展開して示した斜視図である。
図１、図２中、１００は展張支持治具、１１０は第一の枠体、１１１は外側面、１１２は前面、１１３は後面、１１５、１１６、１１８は溝部、１１８Ｓは面、１２０は第二の枠体、１２１、１２２は突起、１３０はフィルムレンズ、１４０はパネル、１４１は側面、１６０は間隙である。
本実施例のフィルム、シート類の展張支持治具１００は、自立性のない合成樹脂製のフィルムレンズ１３０を、自立性のある板状のパネル１４０に沿わせて、シワや弛みが発生しないように枠体に展張支持するための治具で、枠体の四方向にてフィルムレンズ１３０を支持し、且つ展張している。
特に、本実施例の展張支持治具は、自立性のない合成樹脂製のフィルムレンズを自立性のある板状のレンチキュラーレンズ、ハードコート処理された表面パネル等の背面投射型プロジェクションテレビ用のパネルに沿わせる場合に有効なものであるが、用途はこれに限定されない。本実施例の展張支持治具１００は、比較的簡単な構造で、且つ、フィルム、シート類に対してシワや弛みを発生させずに、確実な固定ができて、テンション（張力）をかけ続けることができるものである。
【０００９】
図１（ｂ）に示すように、第一の枠体１１０の前面１１２側には、フィルムレンズ１３０固定用の溝部１１５が設けられており、第二の枠体１２０に設けられた突起１２１と嵌まり固定を強固にできるようにしている。
そして、第一の枠体１１０の後面１１３側にも、溝部１１６が設けられており、第二の枠体１２０に設けられた突起１２２と嵌まるようになっている。
これにより、第二の枠体１２０を第一の枠体１１０にかぶせた際にははずれないようにしている。
第一の枠体１１０の前面１１２、後面１１３は枠の外側にゆくに従い互いに近づくようテーパーを形成している。
また、図１（ｃ）に示すように、図１（ｂ）において、パネル１４０を嵌合していない場合には、第一の枠体１１０の前面１１２側と第二の枠体１２０との間に間隙１６０が生じるように、第一の枠体１１０の前面１１２側に枠体の内周に沿った溝部１１８を設けている。
本実施例では、溝部１１８は第一の枠体１１０の内周面と前面１１２とが交叉する角部を各面に沿い、凹ませて設けられている。
そして、図１（ｃ）のように張られているフィルムレンズを更に展張して図１（ｂ）に示すように、パネル１４０が間隙１６０に、フィルムレンズ１３０とともに嵌合される。
パネル１４０が嵌合した状態では、パネル１４０の側面１４１がフィルムレンズ１３０を介して、第一の枠体１１０が内側に入って来ようとするのを防ぐ役目を担っている。
本実施例では硬質ポリ塩化ビニルを使用したが、他にはフェノール樹脂等が挙げられる。
【００１０】
第二の枠体１２０は見た目を良くする外装枠を兼ねたものであり、図１（ｂ）に示すように、第二の枠体１２０は、第一の枠体１１０を前面１１２側でフィルムレンズ１３０を介してかぶせる。そして、かぶせた際には、外側面１１１、後面１１３も覆う。
第二の枠体の材質としては、ポリプロピレンを用いたが、変形しにくい材質のものならばこれに限定されない。他には硬質ポリ塩化ビニルも挙げられる。
【００１１】
本実施例のフィルム、シート類の展張支持治具１００を用いたプロジェクションスクリーン３００の作製は、例えば、図３に示すようにして行う。これを簡単に説明しておく。
図３（ａ）（イ）、図３（ｂ）、図３（ｃ）、図３（ｄ）、図３（ｅ）、図３（ｆ）（イ）は、各作製工程を示した断面図で、図３（ａ）（ロ）、図３（ｆ）（ロ）はそれぞれ、図３（ａ）（イ）、図３（ｆ）（イ）に対応する平面図を示しており、図３（ａ）（ロ）のＢ１−Ｂ２における断面が図３（ａ）（イ）であり、図３（ｆ）（ロ）のＢ３−Ｂ４における断面図が図３（ｆ）（イ）である。
先ず、第一の枠体１１０を前面１１２を上にして用意する。（図３（ａ））
次いで、連続した巻きとなっているフィルムレンズ１３０を展張部３１０で展張しながら（図３（ｂ））、第一の枠体１１０の前面１１２にかぶせ、図１に示す溝部１１５にて熱圧着するとともに、所定の範囲にカッター３２０にて切断すして、第一の枠体１１０の前面１１２側にフィルムレンズ１３０を展張する。（図３（ｃ））
次いで、第一の枠体１１０を載置台３３０上におき、浮かせた状態にして、第二の枠体１２０の対向する２辺１２０ａ（１２０ｂ）を、第一の枠体１１０の上にかるくかぶせた後、第二の枠体１２０を第一の枠体１１０に完全に装着させるための装着機（図示していない）を用いて装着する。（図３（ｄ））
次いで、枠体の向きを９０°回転し、第二の枠体１２０の残る対向する２辺１２０ｃ（１２０ｄ）側を装着する。（図３（ｅ））
この後、パネル１４０を図１（ｃ）に示す間隙１６０に嵌めてプロジェクションスクリーン３００を得る。（図３（ｆ））
【００１２】
このようにして、第一の枠体１１０にフィルムレンズ１３０を介して第二の枠体１２０を装着し、さらに第一の枠体１１０と第二の枠体１２０とで形成される間隙１６０にパネル１４０を嵌めこみフィルムレンズ１３０の展張支持を行うが、コンベア上にて流れ作業的に全工程を行うことも可能である。
【００１３】
本実施例のフィルム、シート類の展張支持治具の場合は、枠体の４辺にて展張支持しているが、場合によっては対向する２辺のみで展張支持しても良い。
【００１４】
【効果】
本発明は、上記のように、自立性のない合成樹脂製のフィルム、シート類を、自立性のある板状のパネルに沿わせて、シワや弛みが発生しないように枠体に展張支持するための治具であって、比較的簡単な構造で、且つ、フィルム、シート類に対してシワや弛みを発生させずに、確実な固定ができて、テンション（張力）をかけ続けることができるものの提供を可能としている。
特に、背面投射型プロジェクションスクリーンに使用される、自立性のあるレンチキュラーレンズ等のパネルに沿わせて、自立性のないフィルムレンズを展張する際に、有効な治具の提供を可能にした。
【図面の簡単な説明】
【図１】実施例のフィルム、シート類の展張支持治具の図
【図２】実施例のフィルム、シート類の展張支持治具の枠体の展開図
【図３】実施例のフィルム、シート類の展張支持治具を用いたプロジェクションスクリーンの作製工程を示した図
【符号の説明】
１００                          展張支持治具
１１０                          第一の枠体
１１１                          外側面
１１２                          前面
１１３                          後面
１１５、１１６、１１８          溝部
１１８Ｓ                        面
１２０                          第二の枠体
１２１、１２２                  突起
１３０                          フィルムレンズ
１４０                          パネル
１４１                          側面
１６０                          間隙
３００                          プロジェクションスクリーン
３１０                          展張部
３２０                          カッター
３３０                          載置台
【図１】
0003605473.tif 000002
【図２】
0003605473.tif 000003
【図３】
0003605473.tif 000004